(57)【特許請求の範囲】
【請求項１】
捲回または積層した電極板と電解液とを，他の面より大面積の一対の大側面を有する角型のケースに封入してなる二次電池を制御する二次電池の制御装置において，
前記ケースの前記大側面を外側から拘束することによって，前記電極板の板面同士を近づける向きに圧迫する拘束力発生部と，
前記二次電池の電池容量を取得する電池容量取得部と，
前記二次電池の充放電時の使用容量を積算した積算使用容量と，前記電池容量取得部によって取得された電池容量とに基づいて前記拘束力発生部による拘束力の大きさを制御する拘束力制御部とを有し，
前記拘束力制御部は，
前記積算使用容量の増加に対する，前記電池容量取得部によって取得された電池容量の減少の程度に，緩やかな第１の程度からより激しい第２の程度への変化があった場合に，前記拘束力発生部による拘束力を増加させるものであることを特徴とする二次電池の制御装置。
【請求項２】
請求項１に記載の二次電池の制御装置において，
前記拘束力制御部は，前記積算使用容量の平方根を横軸とし前記電池容量取得部によって取得された電池容量を縦軸とするグラフ上に，新たに取得した電池容量と前回取得した電池容量とにより引かれる直線の縦軸切片が，その初期値に対してあらかじめ決めた割合だけ増加した値となった場合に，電池容量の減少傾向の程度に変化があったと見なすものであることを特徴とする二次電池の制御装置。
【請求項３】
請求項１または請求項２に記載の二次電池の制御装置において，
前記拘束力制御部は，
拘束力を一旦増加させた後に元の大きさに戻す一時的増加を行ってから，前記電池容量取得部によって電池容量を再度取得し，
電池容量が拘束力の前記一時的増加の前より増加した場合は，前記二次電池をそのまま使用し，
電池容量が増加しなかった場合は，拘束力を増加させて増加させた状態を維持する定常的増加を行うことを特徴とする二次電池の制御装置。
【請求項４】
請求項１から請求項３までのいずれか１つに記載の二次電池の制御装置において，
前記拘束力制御部は，前記拘束力発生部による拘束力の増加を，あらかじめ定めた拘束力の上限値の範囲内に限って行うことを特徴とする二次電池の制御装置。
【請求項５】
捲回または積層した電極板と電解液とを，他の面より大面積の一対の大側面を有する角型のケースに封入してなる二次電池を制御する二次電池の制御方法において，
対象とする二次電池は，前記ケースの前記大側面が外側から拘束されることによって，前記電極板の板面同士が近づく向きに圧迫されているものであり，
前記二次電池の充放電時の使用容量を積算した積算使用容量と，前記二次電池の電池容量の履歴とに基づき，
前記積算使用容量の増加に対する，前記電池容量の減少の程度に，緩やかな第１の程度からより激しい第２の程度への変化があった場合に，拘束力を増加させることを特徴とする二次電池の制御方法。
【発明の詳細な説明】
【技術分野】
【０００１】
本発明は，外部から拘束部材によって拘束されている二次電池の制御装置および制御方法に関する。さらに詳細には，二次電池の状態に応じて拘束部材の拘束力を制御する二次電池の制御装置および制御方法に関するものである。
【背景技術】
【０００２】
例えば自動車用の二次電池として，複数個の電池セルを積層して束ね，モジュール化したものが多く用いられている。電池セルをモジュール化する際には，積層した複数個の電池セルをその外側から拘束する拘束部材が用いられることがある。この拘束部材によってモジュール内の電池セルに加えられる拘束力は，電池セルの特性に影響を及ぼすことが知られている。例えば特許文献１には，拘束によって電池にかかる圧力を所定の圧力範囲に保持する拘束手段が開示されている。
【先行技術文献】
【特許文献】
【０００３】
【特許文献１】特開２００９−２３８６０６号公報
【発明の概要】
【発明が解決しようとする課題】
【０００４】
リチウムイオン二次電池をモジュール化したものでは，一般に，充放電を繰り返すことにより，電池容量が低下していくことが知られている。また，拘束手段による拘束力の大きさも，二次電池の劣化や寿命に関わっていることが分かっている。そこで，電池寿命をできるだけ長くできる拘束力の大きさが求められていた。
【０００５】
本発明は，前記した従来の技術が有する問題点を解決するためになされたものである。すなわちその課題とするところは，二次電池に加える拘束力を制御して，充放電による劣化がある程度進んだ電池の電池容量を回復させるとともに電池寿命を延命することのできる二次電池の制御装置および制御方法を提供することにある。
【課題を解決するための手段】
【０００６】
この課題の解決を目的としてなされた本発明の二次電池の制御装置は，捲回または積層した電極板と電解液とを，他の面より大面積の一対の大側面を有する角型のケースに封入してなる二次電池を制御する二次電池の制御装置であって，ケースの大側面を外側から拘束することによって，電極板の板面同士を近づける向きに圧迫する拘束力発生部と，二次電池の電池容量を取得する電池容量取得部と，二次電池の充放電時の使用容量を積算した積算使用容量と，電池容量取得部によって取得された電池容量とに基づいて拘束力発生部による拘束力の大きさを制御する拘束力制御部とを有し，拘束力制御部は，積算使用容量の増加に対する，電池容量取得部によって取得された電池容量の減少の程度に，緩やかな第１の程度からより激しい第２の程度への変化があった場合に，拘束力発生部による拘束力を増加させるものである。
【０００７】
本発明の二次電池の制御装置によれば，拘束力制御部が，積算使用容量の増加に対する電池容量の推移を監視し，減少の程度がそれまでより大きくなったら，拘束力発生部による拘束力を増加させる。つまり，電池の劣化の進行状況が変化し，それまでより急激に電池容量が減少するようになったら，拘束力発生部による拘束力が増加される。このような状況は，電極活物質層の割れができた場合に発生しやすく，その場合には，拘束力を増加させることで，二次電池の電池容量をいくらか増加させることができるからである。従って，二次電池に加える拘束力を制御して，充放電による劣化がある程度進んだ電池の電池容量を回復させるとともに電池寿命を延命することのできる二次電池の制御装置となっている。
【０００８】
さらに本発明では，拘束力制御部は，積算使用容量の平方根を横軸とし電池容量取得部によって取得された電池容量を縦軸とするグラフ上に，新たに取得した電池容量と前回取得した電池容量とにより引かれる直線の縦軸切片が，その初期値に対してあらかじめ決めた割合だけ増加した値となった場合に，電池容量の減少傾向の程度に変化があったと見なすものであることが望ましい。
このようなものであれば，適切なタイミングで拘束力増加を行うことができるので，電池を適切に延命できる。
【０００９】
さらに本発明では，拘束力制御部は，拘束力を一旦増加させた後に元の大きさに戻す一時的増加を行ってから，電池容量取得部によって電池容量を再度取得し，電池容量が拘束力の一時的増加の前より増加した場合は，二次電池をそのまま使用し，電池容量が増加しなかった場合は，拘束力を増加させて増加させた状態を維持する定常的増加を行うことが望ましい。
このようにすれば，ケースへの負荷を大きくせずに，効果的に拘束力増加を行うことができる。
【００１０】
さらに本発明では，拘束力制御部は，拘束力発生部による拘束力の増加を，あらかじめ定めた拘束力の上限値の範囲内に限って行うことが望ましい。
このようなものであれば，適切な範囲内で拘束力を増加させるので，効果的に電池容量を増加させることができる。
【００１１】
さらに本発明は，捲回または積層した電極板と電解液とを，他の面より大面積の一対の大側面を有する角型のケースに封入してなる二次電池を制御する二次電池の制御方法であって，対象とする二次電池は，ケースの大側面が外側から拘束されることによって，電極板の板面同士が近づく向きに圧迫されているものであり，二次電池の充放電時の使用容量を積算した積算使用容量と，二次電池の電池容量の履歴とに基づき，積算使用容量の増加に対する，電池容量の減少の程度に，緩やかな第１の程度からより激しい第２の程度への変化があった場合に，拘束力を増加させる二次電池の制御方法にも及ぶ。
【発明の効果】
【００１２】
本発明の二次電池の制御装置および制御方法によれば，二次電池に加える拘束力を制御して，充放電による劣化がある程度進んだ電池の電池容量を回復させるとともに電池寿命を延命することができる。
【図面の簡単な説明】
【００１３】
【図１】本形態に係る拘束力制御のための構成を示すブロック図である。
【図２】拘束力発生部の例を示す説明図である。
【図３】積算使用容量と容量維持率との関係を示すグラフ図である。
【図４】拘束増加率と容量回復率との関係を示すグラフ図である。
【図５】拘束力制御部による制御を示すフローチャートである。
【発明を実施するための形態】
【００１４】
以下，本発明を具体化した最良の形態について，添付図面を参照しつつ詳細に説明する。本形態は，リチウムイオン二次電池に対する拘束力を制御する制御装置及び制御方法に，本発明を適用したものである。
【００１５】
本形態の制御構成は，図１に示すように，電池１０と拘束力発生部１３，拘束力制御部１５，電池容量取得部１７を有している。本形態に係る電池１０は，いわゆる角型のリチウムイオン二次電池である。この電池１０は，帯状の電極板を捲回したものを扁平に成形し，電解液とともに平たい直方体の金属ケースに封じてなるものである。電極板は，金属ケース内で，金属ケースの外面のうち面積最大の面（以下，大側面という）に略平行に配置されている。
【００１６】
なお，本形態の電池１０は，捲回タイプに限らず，積層タイプでもよい。積層タイプの場合でも，各電極板は，大側面に略平行に配置される。また，電池１０は，電池セル単体であってもよいし，複数個の電池セルが積層されて一体化された電池モジュールや電池パックに含まれる電池セルであってもよい。
【００１７】
拘束力発生部１３は，電池１０に対して拘束力を加えるものである。拘束力発生部１３による拘束力は，各電池セルに加えられればよい。つまり，電池モジュールや電池パックの全体を圧迫することによって，含まれる各電池セルに拘束力が加えられるようになっていてもよい。拘束力発生部１３によって発生される拘束力は，金属ケースの外部から，両側の大側面を互いに近づく向きに圧迫する力である。大側面を外側から圧迫すると，電池１０の電極板は，電池ケースの内部で，その面に略垂直な内向きの力を受ける。つまり，この拘束力発生部１３による拘束力を受けると，電池１０の電極板の面が隣接する面に圧迫される。
【００１８】
拘束力制御部１５は，拘束力発生部１３によって発生される拘束力の大きさを制御する制御装置である。つまり，本形態の拘束力発生部１３によって電池１０に加えられる拘束力の大きさは，拘束力制御部１５によって制御される。この制御は，例えば，拘束力発生部１３が電池セルの大側面に板部材を圧接させるものであれば，その圧接力を調整することによって行ってもよい。
【００１９】
拘束力発生部１３の例を，図２に示す。この図の構成では，電池１０は，その大側面１０ａを互いに接触させて，複数個並べられている。両端の電池１０の外側には，それぞれエンドプレート１１０が大側面１０ａに接して配置されている。さらに，両側のエンドプレート１１０は，ボルト１１１とナット１１２とで互いに締め付けられている。電池１０は，この締め付け力によって拘束力を受ける。つまりこの例では，エンドプレート１１０，ボルト１１１，ナット１１２の組が拘束力発生部１３に相当する。
【００２０】
さらに，ボルト１１１とナット１１２の締め量によって，各電池１０に加えられる拘束力を変更することができる。つまり，拘束力制御部１５は，ナット１１２を制御するものとすれば，拘束力の大きさを制御することができる。拘束力制御部１５による制御を適切に行うために，増し締め量と拘束力との関係を予め調べておくとよい。
【００２１】
電池容量取得部１７は，電池１０の電池容量を取得するものである。電池容量取得部１７は，電池１０を充放電するための回路や素子類と，放電時の電圧値や電流値を取得するための測定器とを有している。そして電池容量取得部１７は，実使用領域での電池容量を取得する。つまり，電池容量取得部１７は，電池１０を実使用領域の上限電圧（例えば満充電）まで充電してからゆっくり放電させ，その放電時の電圧値と電流値とから，その時点における電池１０の電池容量を算出する。電池容量取得部１７による電池容量の取得は，各電池セルごとに行われる。
【００２２】
電池容量取得部１７が電池容量を取得する実使用領域とは，その電池１０の使用される環境において，主に使用される電圧の範囲のことである。そのため，実使用領域は，電池１０の搭載される車両の種別によって異なる。例えば，ＰＨＶ（プラグインハイブリッド車）では，電池容量取得部１７は，フル充電からハイブリッドモードに変化するまでの容量を取得する。また，ＥＶ（電気自動車）では，電池容量取得部１７は，フル充電からあらかじめ決めた最低電圧までの容量を取得する。ＨＶ（ハイブリッド車）では，電池容量取得部１７は，ハイブリッド走行中に使用するあらかじめ決めた電圧の範囲内で容量を取得する。例えば，ＨＶ走行により上昇しうる上限電圧から，強制的にエンジンを始動させる電圧までの範囲内とする。
【００２３】
電池容量取得部１７によって電池容量を取得する電圧の範囲は，前述のように車両の種別や使用環境によってそれぞれ異なる。ただし通常，その範囲は電池１０の使用開始時までにあらかじめ設定され，電池容量取得部１７に記憶させておく。電池容量取得部１７は，例えば，電池電圧３．９Ｖから電池電圧３．４５Ｖまで放電し，その間の電流値を測定して電池容量を算出する。
【００２４】
本形態の拘束力制御部１５は，電池１０の新品時からの使用容量を積算して記憶している。すなわち，電池１０の充電が行われるたびに，その充電量を取得して積算する。または，放電が行われるたびに，放電量を取得して積算するものとしてもよい。または，充電時と放電時との両方でもよい。
【００２５】
さらに，拘束力制御部１５は，電池１０の新品時を含め，適切なタイミングで電池容量取得部１７に電池容量を取得させ，その結果を記憶している。そして，拘束力制御部１５は，電池容量取得部１７によって取得された電池容量に基づいて容量維持率を算出する。容量維持率は，電池１０の新品時の電池容量に対して，取得された電池容量の割合を百分率で示したものである。
【００２６】
さらに拘束力制御部１５は，前述のように算出した使用容量と容量維持率とから，使用容量の増加に対して容量維持率の変化状況を監視する。例えば，積算使用容量の平方根に対する容量維持率を，電池１０の使用開始時からグラフ化した例を，図３に示す。つまり，図中に黒塗りの菱形で示すように，容量維持率は，新品状態から電池１０の使用が進むにつれて次第に低下する。なお，このグラフの横軸上のプロット間隔Ｑは，例えば，初期状態での電池容量の９５０倍である。
【００２７】
図３のようにグラフ化すると，さほど劣化していない電池１０では，図中に実線Ｌ１で示すように，容量維持率は，このグラフ上で直線的に低下する。しかし，あるところからこの低下の程度が大きくなり，容量維持率は，それまでの直線から離れて急激に落ち込む。つまり，図中でプロット点Ａ（初期状態）から実線Ｌ１に沿って，プロット点Ｂ，Ｃと低下した後，プロット点Ｄは実線Ｌ１から離れて落ち込んでいる。プロット点Ｃとプロット点Ｄとを結ぶ直線が破線Ｌ２であり，この破線Ｌ２の下り勾配は実線Ｌ１より急である。この図の例では，積算使用容量の平方根に対する容量維持率の低下の程度が，プロット点Ｃを境にそれまでより大きくなっている。
【００２８】
このように電池容量の低下の程度が急激に大きくなる原因の一つとして，正極板における正極活物質層に発生する割れがあることが分かってきた。そして，本発明者らは，活物質層に割れが発生した正極板に対し，板面をそれまでより強く圧迫することにより割れ箇所の隙間を小さくし，電池容量をある程度回復させることができることを見出した。そこで，寿命の近い電池１０に対して，それまでより大きい拘束力で拘束したところ，電極板が互いに圧迫され，電池１０を延命できることが分かった。
【００２９】
拘束力増加のタイミングは，前述の図３のグラフにおけるプロット点を結ぶ直線の傾きの変化に基づいて決定される。すなわち，積算使用容量の増加に対する電池容量の減少傾向の程度が，緩やかな第１の程度からより激しい第２の程度へ変化したら，拘束力制御部１５は拘束力を増加する。本形態においては拘束力制御部１５は，あらかじめ決めた積算使用容量ごとの積算使用容量の平方根に対する容量維持率の減少の程度（図３のグラフ中のプロット点間の傾き）が，初期状態よりあらかじめ決めた程度を越えて大きくなったら，電池１０に対する拘束力を増加させる。
【００３０】
このタイミングは例えば，図３のグラフで，隣接するプロット点を結ぶ線の延長線と縦軸との交点（縦軸切片）が，その初期値よりあらかじめ決めた割合以上大きいものとなった時として把握することができる。そして，本形態の拘束力制御部１５は，初期状態の容量維持率を１００％として，縦軸切片が１０５％以上になったとき，拘束力発生部１３を制御して，電池１０に対する拘束力を増加させる。それにより，図３中に矢印で示すように，電池容量が増加する。この図の例では，プロット点Ｄ（黒菱形）からプロット点Ｅ（黒丸）へ容量維持率が８％程度増加している。
【００３１】
次に，拘束増加率（％）と容量回復率（％）との関係の例を図４に示す。この図は，同種の電池１０で初期状態における拘束力が異なるものを複数個用意し，拘束力の増加率を変えて拘束力を増加させた時の電池容量の回復の程度を調べた結果である。初期状態による拘束力は，０．５，１．０，１．５，２．０（ＭＰａ）の４種類とした。この図の横軸は，初期状態における拘束力を１００％とし，増加後の拘束力の大きさを初期状態の拘束力に対する百分率で表したものである。
【００３２】
図４のグラフより，初期状態における拘束力の大きさに関わらず，拘束力を初期値の１２０％以上まで増加させれば，容量回復の効果があることが確認できた。さらに，初期値の１７０％〜３３０％の範囲内で拘束力を増加させれば，さらに大きく容量を回復させることができることが確認できた。つまり，増加前後の拘束力の大きさ自体よりも，増加率が重要であることが分かった。本形態では，拘束力増加率を１７０％〜３３０％とすることで，特に効果的に容量回復率が大きくなる。
【００３３】
一方，増加率が３３０％を超えて大きすぎる場合は，容量回復の効果が小さい。拘束力が大きいほど電池ケースへの負荷も大きいので，３３０％を超える拘束増加率で増加させることは好ましくない。そこで，拘束力制御部１５は，前述のように拘束力増加のタイミングを決定したら，拘束力発生部１３による拘束力を１２０％〜３３０％の範囲内で増加させる。その範囲内でも，拘束力増加率を１７０〜１８０％の範囲内とすればさらに好ましい。このようにすれば，増加率がさほど大きくない範囲であって，容量回復の効果が特に大きい。
【００３４】
さらに本発明者らは，拘束力を増加させる場合に，増加させた状態で維持する定常的増加のみでなく，一旦増加させた後に元の大きさに戻す一時的増加でも，容量増加の効果があることを見出した。一時的増加の方が定常的増加よりも，電池ケースへの負荷が小さいので好ましい。そこで，本形態の拘束力制御部１５は，前述のように拘束力を増加するタイミングになったら，まず一時的増加を行う。そしてその後電池容量を再度取得し，電池容量が増加していなければ，定常的増加を行う。
【００３５】
なお，拘束力制御部１５は，定常的増加によっても適切な効果が得られなかった場合は，さらに増加量を増加して一時的増加から繰り返す。ただし，前述したように，拘束力の増加量が大きいほど，容量がより回復するというわけではない。３３０％を超える拘束増加率は，容量回復の効果が小さいからである。そこで，拘束力制御部１５は，例えば，まず１２０％程度の増加率で拘束力を増加させ，適切な効果が得られなかった場合は，１７０％程度の増加率とするとしてもよい。
【００３６】
あるいは，小さい増加率でも効果が得られた場合においても，図３中に黒丸のプロット点Ｆ〜Ｈで示すように，電池容量の回復した電池１０をさらに使用し続けると，再び次第に容量維持率が低下する。そこで，拘束力を増加した時点を１００％としてそこから新たにグラフ化し，縦軸切片が１０５％以上になったら，再び拘束力を増加させるとよい。この図の例では，プロット点Ｈにおいて再び拘束力を増加し，プロット点Ｉ（黒三角）へと容量が回復した。
【００３７】
また，拘束力には物理的な上限値もある。拘束力の上限値は，電池１０の大きさや電池ケースの種類等によって異なる。そこで，電池１０が破損あるいは変形することなく，電極板に適切に拘束力を加えることのできる上限値を，電池１０の種類ごとにあらかじめ設定しておく。この値は例えば，１５ＭＰａ程度である。拘束力制御部１５は，拘束力発生部１３による拘束力の大きさが，あらかじめ決めた上限値を超えたら，それ以上の拘束力の増加は行わない。
【００３８】
なお，図３中で白抜き菱形で示したプロット点Ｋは，縦軸切片が１０５％以上になっても，拘束力を強める処理を行わずにそのまま使用し続けた従来の場合の容量維持率の例である。従来，プロット点Ｄの後は，プロット点Ｋとなり，それ以降は電池容量が急激に低下してしまうので，電池１０の寿命が到来したと判断されていた。
【００３９】
次に，本形態の拘束力制御部１５による拘束力制御処理を図５に示すフローチャートに基づいて説明する。まず，拘束力制御部１５は，前述のように，電池容量取得部１７を制御し，電池の使用開始からあらかじめ決めた適切な間隔で容量維持率を取得する（Ｓ１０１）。本形態では，電池１０の初期状態からの使用量の積算値が，初期の電池容量の９５０倍の整数倍に到達するごとに電池容量を取得し，その値の初期の電池容量に対する割合である容量維持率を算出する。
【００４０】
そして，算出された容量維持率を図３に示したようにグラフにプロットし，前回測定値との差異から縦軸切片を求める。求めた縦軸切片の値から，容量維持率の変化の程度があらかじめ決めた範囲を超えて増大したかどうかを判断する（Ｓ１０２）。増大していなければ（Ｓ１０２：Ｎｏ），そのままの拘束力を維持し，再びＳ１０１に戻って，容量維持率を求める。
【００４１】
容量維持率の変化の程度が大きくなり，縦軸切片の値が１０５％以上となったら（Ｓ１０２：Ｙｅｓ），まず，拘束力を一時的に増加させる。この場合，拘束力制御部１５は，拘束力発生部１３を制御して，あらかじめ決めた率（１２０〜３３０％の範囲内の値）となるまで拘束力を増加させる（Ｓ１０３）。さらに，拘束力があらかじめ決めた率に到達したら直ちに，拘束力を減少させて元の拘束力に戻す（Ｓ１０４）。すなわち，Ｓ１０４の終了後は，Ｓ１０３の実行前と，拘束力の大きさは変化していない。
【００４２】
その後，再び電池１０の電池容量を測定し，Ｓ１０３の実行前における測定値と比較して電池容量が回復したかどうかを確認する（Ｓ１０５）。容量が回復していれば（Ｓ１０５：Ｙｅｓ），Ｓ１０１に戻って再び監視状態となる。一方，容量が回復しなかった場合は（Ｓ１０５：Ｎｏ），もう一度拘束力を増加させる（Ｓ１０６）。さらに，今回は拘束力を戻さず，増加した状態でそのまま維持する。今回増加させる増加率は，１２０〜３３０％の範囲内で，Ｓ１０３で一時的に増加させた増加率と同じでもよいし，それより小さいものとしてもよい。
【００４３】
その後，電池１０の電池容量を再び測定し，Ｓ１０３の実行前における測定値と比較して電池容量が回復したかどうかを確認する（Ｓ１０７）。容量が増加していれば（Ｓ１０７：Ｙｅｓ），そのままＳ１０１に戻って再び監視状態となる。一方，容量が増加しなかった場合は（Ｓ１０７：Ｎｏ），拘束力があらかじめ決めた上限値に到達したかどうかを確認する（Ｓ１０８）。
【００４４】
上限値に達していなければ（Ｓ１０８：Ｎｏ），まだ拘束力を増加する余地があるので，Ｓ１０３に戻ってもう一度拘束力を一時的に増加させる。このときは，先回のＳ１０３で採用したものより大きい増加率を採用する。さらに，先回と同様に電池容量を監視しつつ拘束力をさらに増加し，拘束力が上限値に達するまで，Ｓ１０３〜Ｓ１０８を実行する。そして，拘束力が上限値に達したら（Ｓ１０８：Ｙｅｓ），これ以上増加させることは好ましくない。この場合には，この電池１０に対して，拘束力増加によるこれ以上の容量回復は望めない。これで，本処理の説明を終了する。
【００４５】
以上詳細に説明したように，本形態の二次電池の制御装置は，拘束力発生部１３，拘束力制御部１５，電池容量取得部１７を有している。そして，拘束力制御部１５は，二次電池の使用容量を積算した積算使用容量に対する電池容量の変化状況を監視し，変化の程度がそれまでに比較して大きくなった場合に，拘束力を増加させる。これにより，二次電池の電池容量を回復させ，二次電池を延命させることができる。従って，二次電池に加える拘束力を制御して，充放電による劣化がある程度進んだ電池の電池容量を回復させるとともに電池寿命を延命することができる。
【００４６】
なお，本形態は単なる例示にすぎず，本発明を何ら限定するものではない。したがって本発明は当然に，その要旨を逸脱しない範囲内で種々の改良，変形が可能である。
【符号の説明】
【００４７】
１０  電池
１０ａ  大側面
１３  拘束力発生部
１５  拘束力制御部
１７  電池容量取得部
【図１】
0005765258.tif 000002
【図２】
0005765258.tif 000003
【図３】
0005765258.tif 000004
【図４】
0005765258.tif 000005
【図５】
0005765258.tif 000006